(57)【要約】【課題】接触不良が生じ難く、また、塵埃等の影響を受け難くて良好な検査が実施できる薄型のスイッチ付き同軸コネクタを提供することを目的とする。【解決手段】プラグピン挿入用孔１２を介して外部に開放する端子収容室６を区画するハウジング２を備える。固定端子３はプラグピンの挿入方向Ｘに概ね沿って配置された固定接触部５１を含む。スイッチ端子４はプラグピン挿入用孔１２に向かって開放するＵ字状部３５を含む。Ｕ字状部３５は上記挿入方向Ｘに沿って延びる第１及び第２の片部３７，３８を含む。第２の片部３８に、固定接触部２８に側方から弾性接触可能な弾性接触部と、プラグピン挿入用孔１２から挿入されるプラグピンの側部に弾性接触可能なプラグピン接触部４２とを設ける。【選択図】  図５
2004319227.tif 000002
【特許請求の範囲】
【請求項１】
プラグピン挿入用孔を介して外部に開放する端子収容室を区画するハウジングと、このハウジングにより保持された固定端子およびスイッチ端子とを備え、
上記固定端子は、端子収容室内でプラグピンの挿入方向に概ね沿って配置された固定接触部を含み、
上記スイッチ端子は、端子収容室内でプラグピン挿入用孔に向かって開放するＵ字状部を含み、
このＵ字状部は、弾性屈曲部を介して互いに連続し概ねプラグピン挿入方向に沿って延びる第１および第２の片部を含み、Ｕ字状部の第１の片部は固定端に連なると共に第２の片部は自由端に連なり、
Ｕ字状部の第２の片部には、固定端子の固定接触部に側方から弾性接触可能な弾性接触部と、プラグピン挿入用孔から挿入されるプラグピンの側部に弾性接触可能なプラグピン接触部とが設けられ、
プラグ挿入用孔からプラグピンが挿入されたときに、プラグピン接触部とプラグピンとが弾性接触し、可動接触部と固定接触部との接触が断たれるようにしてあることを特徴とするスイッチ付き同軸コネクタ。
【請求項２】
請求項１において、上記スイッチ端子は、上記Ｕ字状部の第１の片部の一端に弾性屈曲部を介して連なる固定片部をさらに含んで全体が横向き略Ｓ字状をなす部分を設けており、上記固定端は固定片部に設けられることを特徴とするスイッチ付き同軸コネクタ。
【請求項３】
請求項１又は２において、上記端子収容室は、上記固定端子およびスイッチ端子を同方向から組み込み可能に開放する開放部分を有することを特徴とするスイッチ付き同軸コネクタ。
【請求項４】
請求項１，２又は３において、上記固定端子が一対の固定接触部を含むと共に、スイッチ端子のＵ字状部の第２の片部は一対の固定接触部間を挿通する狭幅部とこれより先端側の広幅部とを含み、
広幅部は、その両端に一対の固定接触部にそれぞれ対応する一対の弾性接触部を設け、一対の弾性接触部間にプラグピン接触部を設けていることを特徴とするスイッチ付き同軸コネクタ。
【発明の詳細な説明】
【０００１】
【発明の属する技術分野】
この発明は、例えば、携帯電話、ＰＨＳ、無線ＬＡＮモジュール、ＥＴＣモジュール等の無線端末の送受信回路に接続されるスイッチ付き同軸コネクタに関し、相手側コネクタのプラグピンとの接続によって、スイッチ端子の接続が、固定端子からプラグピンへ切り換えられるスイッチ付き同軸コネクタの構造に関するものである。
【０００２】
【従来の技術】
この種のスイッチ付き同軸コネクタは、例えば、常時は、携帯電話、ＰＨＳ等において、内蔵の送受信回路と付属のアンテナとを接続しているが、出荷前の最終検査時に、内蔵の送受信回路と付属のアンテナとの接続を断ち、内臓の送受信回路を検査装置側への接続に切り換える。
従って、この種の同軸コネクタは、携帯電話等の小型電子機器に用いられることが多く、機器全体を小型化するために、可能な限りの小型化、薄型化（例えばコネクタ高さを２．５ｍｍ以下にする、あるいは２ｍｍ以下にする等）が望まれている。
【０００３】
従来、図１２に示すように、プラグピン９１の挿入方向９２に対して直交する方向９３に延びる固定端子９４と、切り換え用のＳ字状をなす弾性変形可能なスイッチ端子９５とを設け、プラグピン９１の挿入時に、該プラグピン９１により押されたスイッチ端子９５のＳ字が偏平となるように撓ませてスイッチ端子９５と固定端子９４との接続を断つ技術が提案されている（特許文献１）。
【０００４】
【特許文献１】
特許第２８８９５６２号公報
【０００５】
【発明が解決しようとする課題】
しかしながら、上記公報では、Ｓ字状のスイッチ端子９５がプラグピン９１の挿入方向９２に偏平化して撓むので、スイッチ端子９５の弾性範囲を考慮した場合、同軸コネクタの高さをあまり低くできない（薄型化できない）。
また、プラグピン９１が深く押し込まれ過ぎた場合や、プラグピン９１の代わりにドライバ等の異物が挿入されてＳ字状のスイッチ端子９５が過度に撓まされた場合、該スイッチ端子９５が塑性変形し、以後、スイッチ端子９５と固定端子９４との接続が不良となるおそれがある。
【０００６】
また、Ｓ字状のスイッチ端子９５のプラグ接続部９６がプラグピン挿入用孔９７にプラグピン９１の挿入方向９２に対向しているため、プラグピン挿入用孔９７から入った塵埃やメッキかす等がプラグ接続部９６に付着している場合がある。上記公報の同軸コネクタでは、プラグピン９１の押し込み時に、該プラグピン９１とスイッチ端子９５のプラグ接続部９６との接触部位が変わらないため、上記のように塵埃が付着していると、接続不良になり良好な検査が実施できないおそれがある。
【０００７】
本発明は、上記課題に鑑みてなされたものであり、スイッチ端子と固定端子の接触不良が生じ難く、また、塵埃等の影響を受け難くて良好な検査が実施できる薄型のスイッチ付き同軸コネクタを提供することを目的とする。
【０００８】
【課題を解決するための手段及び発明の効果】
上記の目的を達成するため、第１発明は、プラグピン挿入用孔を介して外部に開放する端子収容室を区画するハウジングと、このハウジングにより保持された固定端子およびスイッチ端子とを備え、上記固定端子は、端子収容室内でプラグピンの挿入方向に概ね沿って配置された固定接触部を含み、上記スイッチ端子は、端子収容室内でプラグピン挿入用孔に向かって開放するＵ字状部を含み、このＵ字状部は、弾性屈曲部を介して互いに連続し概ねプラグピン挿入方向に沿って延びる第１および第２の片部を含み、Ｕ字状部の第１の片部は固定端に連なると共に第２の片部は自由端に連なり、Ｕ字状部の第２の片部には、固定端子の固定接触部に側方から弾性接触可能な弾性接触部と、プラグピン挿入用孔から挿入されるプラグピンの側部に弾性接触可能なプラグピン接触部とが設けられ、プラグ挿入用孔からプラグピンが挿入されたときに、プラグピン接触部とプラグピンとが弾性接触し、可動接触部と固定接触部との接触が断たれるようにしてあることを特徴とするスイッチ付き同軸コネクタを提供するものである。
【０００９】
本発明では、常時は、Ｕ字状に湾曲したスイッチ端子自体のバネ性によって、可動接触部は、固定接触部に弾性接触する。プラグピンがプラグピン挿入用孔に挿入され、プラグピンの側部にプラグ接触部に接触すると、スイッチ端子は、プラグピンに電気接続するとともに、スイッチ端子のＵ字状部の第２の片部がプラグピンの挿入方向に対して交差する方向（側方）へ変位し、可動接触部と固定接触部の接触が断たれる。プラグピンをプラグピン挿入用孔から抜き出すと、スイッチ端子は、自らの弾性によって再び原位置に復帰し、可動接触部は固定接触部に弾性接触する。
【００１０】
スイッチ端子がプラグピンの挿入方向に対して交差する方向に変位するようにしたので、スイッチ端子の弾性変形範囲を確保しつつ当該同軸コネクタの薄型化の達成が可能となる。また、挿入時のプラグピンによってプラグ接続部が擦られる（いわゆるワイピングされる）ので、塵埃等の影響を受けずに確実な検査が実施できる。さらに、万一、ドライバ等の異物がプラグピン挿入用孔のかなり奥まで挿入されても、スイッチ端子が塑性変形してしまうようなことがなく、以後のスイッチ端子の可動接触部と固定端子の固定接触部の接続に問題はない。
【００１１】
第２発明は、第１発明において、上記スイッチ端子は、上記Ｕ字状部の第１の片部の一端に弾性屈曲部を介して連なる固定片部をさらに含んで全体が横向き略Ｓ字状をなす部分を設けており、上記固定端は固定片部に設けられることを特徴とする。本発明では、弾性屈曲部が２つ設けられることになり、省スペースを図りつつスイッチ端子の十分な弾性変形量を確保することができる。
第３発明は、第１又は第２発明において、上記端子収容室は、上記固定端子およびスイッチ端子を同方向から組み込み可能に開放する開放部分を有することを特徴とする。本発明では、開放部を通して固定端子およびスイッチ端子を組み込むことができ、組み立て易くすることができる。
【００１２】
第４発明は、第１、第２又は第３発明において、上記固定端子が一対の固定接触部を含むと共に、スイッチ端子のＵ字状部の第２の片部は一対の固定接触部間を挿通する狭幅部とこれより先端側の広幅部とを含み、広幅部は、その両端に一対の固定接触部にそれぞれ対応する一対の弾性接触部を設け、一対の弾性接触部間にプラグピン接触部を設けていることを特徴とするものである。
本発明では、スイッチ端子の一部を固定端子側へ入りこませて組み合わせるので、省スペースを確保しつつスイッチ端子の十分な弾性変形量を確保することができる。固定端子とスイッチ端子とが対応する一対の接触部で接触を確保するので、信頼性が高い。
【００１３】
【発明の実施の形態】
以下、本発明の実施の形態を添付図面を参照しつつ説明する。
図１は本発明の一実施形態に係るスイッチ付き同軸コネクタの概略斜視図であり、図２、図３および図４はそれぞれスイッチ付き同軸コネクタの分解斜視図、平面図および正面図である。
図１〜図４を参照して、本スイッチ付き同軸コネクタ１（以下では、単にコネクタ１ともいう）は、絶縁性合成樹脂からなるハウジング２と、ハウジング２により保持される固定端子３およびスイッチ端子４と、ハウジング２の周囲を取り囲む筒状をなす導電性金属からなる電磁シールド用のシェル５とを備える。
【００１４】
ハウジング２は、内部に端子収容室６（図５参照）を区画するための筒状部７と、この筒状部７の下部から側方へ延設される一対の基台部８，９とを備える。筒状部７は上面部１０と周側壁１１とを含み、上面部１０の中央部には、図１１に示すような検査装置５０のプラグピン５１を挿入方向Ｘ（ハウジング２の高さ方向Ｈの反対方向）に沿って挿入するためのプラグピン挿入用孔１２が形成され、このプラグピン挿入用孔１２を介して上記の端子収容室６が外部に開放するようになっている。
【００１５】
ハウジング２の底面図である図６を参照して、ハウジング２の底面２ａの中央部には上記端子収容室６が横向きＴ字状をなす開放部分４３を設けて開放している。また、ハウジング２の底面２ａの四隅部を残して端子収容室６を取り囲むように凹部２ｂが設けられている。底面２ａの四隅部（基台８，９の端部８ａ，９ａの底部に対応）には凹部２ｂよりも一段高い取付面２ｃが設けられている。取付面２ｃは、図１１に示すように本コネクタ１が固定される回路基板６１の表面６２の沿わされる。
【００１６】
端子収容室６は主に固定端子３の部分を収容するための幅広の第１収容室６ａと、主にスイッチ端子４の部分を収容するための幅狭の第２収容室６ｂとを有している。
第１および第２収容室６ａ，６ｂの相対向する壁面６ｃ，６ｄに沿って延びる各一対の第１係合溝１３および第２係合溝１４が設けられている。また、第１収容室６ａの幅広部分の相対向する壁面６ｅ，６ｆにはプラグピン挿入用孔１２を挟んで相対向する一対の第３係合溝１５が設けられている。第１、第２および第３係合溝１３，１４，１５は、プラグピン５１の挿入方向Ｘであるハウジング２の高さ方向（図６において紙面に直交する方向）に延びる。第１および第３係合溝１３，１５が固定端子３に対応し、第２係合溝１４がスイッチ端子に対応する。
【００１７】
主に図２を参照して、上記のシェル５は、ハウジング２の筒状部７の外周に嵌め合わされる筒状部１６と、この筒状部１６の中心を挟んだ対称位置に設けられる一対の延設片１７とを備える。各延設片１７は筒状部１６の下縁から筒状部１６の軸方向に延設される。各延設片１７の先端は外向きに折り曲げられて脚部１８を形成している。各脚部１８は、図１１に示すように、本コネクタ１が固定される回路基板６１の表面６２のグラウンド回路に例えば半田付けにより接続されるリードを構成している。
【００１８】
また、図２および図３を参照して、シェル５の筒状部１６は、周方向に関して一対の延設片１７間の中央位置に、軸方向に延びるスリット１９を設けており、弾力的に拡径できるようになっている。シェル５の筒状部１６が弾性変形により自由状態よりも少し拡径された状態でハウジング２の筒状部７に嵌合され、自身の弾性反発力によりハウジング２の筒状部７に保持される。
シェル５の筒状部１６がハウジング２の筒状部７に嵌合された状態で、シェル５の各延設片１７がそれぞれハウジング２の一対の基台部８，９の相対向する端部８ａ，９ａ間に導入されるようになっている。図２を参照して、各基台部８，９の各端部８ａ，９ａは、それぞれ対応する延設片１７の側縁に係合する係合溝２０を有している。
【００１９】
また、図２および図４を参照して、シェル５の筒状部１６の中途には外周溝２１が設けられている。この外周溝２１は、図１１に示すような検査装置５０の本体５２の回りを覆う位置決め用の筒５３の内周の環状突起５４を係合させるために用いられる。
図２、図５および図７を参照して、固定端子３は、コ字形をなす端子本体２２を備える。端子本体２２は図５に示すようにハウジング２の底面２ａの凹部２ｂに沿うよう配置される。図２および図５を参照して、端子本体２２は互いに平行に延びる一対の片部２３と、各片部２３の一端間を連結する連結片部２４とを含む。
【００２０】
連結片部２４の一側縁から略直角に折り曲げられてハウジング２の高さ方向Ｈに延びる固定片部２５が設けられる。固定片部２５の対向する一対の側縁にはそれぞれ係止突起２６が形成されている。係止突起２６の働きで固定片部２５が第１係合溝１３（図５参照）に係止される。連結片部２４の他側縁からは略Ｌ字状をなすリード部２７が延設され、基台９の底をくぐってハウジング２外へ導出されている。
【００２１】
また、端子本体２２の各片部２３の先端からそれぞれ略直角に折り曲げられてハウジング２の高さ方向Ｈに沿って延びる板状の固定接触部２８が設けられる。すなわち、固定接触部２８はプラグピン５１の挿入方向Ｘに沿って配置される。各固定接触部２８はその外側部に係合縁部２９を延設しており、各係合縁部２９は端子収容室６内の対応する第３係合溝１５に係合することにより、対応する固定接触部２８の変位を規制する。
【００２２】
図２、図５および図７を参照して、スイッチ端子４は、ハウジング２の底面２ａの凹部２ｂに沿うよう配置される板状の端子本体３０を備える。端子本体３０の一側縁からは略Ｌ字状をなすリード部３１が延設され、基台８の底をくぐってハウジング２外へ導出されている。
端子本体３０の他側縁からは直角に折り曲げられハウジング２の高さ方向Ｈに沿って延びる固定端としての固定片部３２が延設されている。固定片部３２の相対向する一対の側部には係止突起３３が形成されている。係止突起３３の働きで固定片部３２が第２係合溝１４に係止される。
【００２３】
固定片部３２は上向きに凸の第１の弾性屈曲部３４を介して上向きに、具体的には、プラグピン挿入用孔１２に向かって開放するＵ字状（ないしは逆Ω字状をなす）Ｕ字状部３５を含む。このＵ字状部３５は、第２の弾性屈曲部３６を介して互いに連続し概ねハウジング２の高さ方向Ｈに沿って延びる第１および第２の片部３７，３８を含む。
このように、Ｕ字状部３５の第１の片部３７に第１の弾性屈曲部３４を介して固定端としての固定片部３２が連なることで横向き略Ｓ字状となる部分３９が形成され、これにより、スイッチ端子３は、２つの弾性屈曲部３４，３６を有して、十分な弾性変形量を確保できるようになっている。
【００２４】
Ｕ字状部３５の第２の片部３８には、第１の片部３７に向かって突き出る自由端としての広幅の山形部４０が設けられている。図５および図７を参照して、スイッチ端子４のＵ字状部３５の第２の片部３８は、狭幅部３８ａとこれより先端側の広幅部としての上記山形部４０を有し、狭幅部３８ａが固定端子３の一対の固定接触部２８間を挿通して、固定接触部２８の背後に回り込んでおり、図９，図１０に示すように、第２の片部３８の広幅部としての山形部４０の一対の端部にそれぞれ設けられる弾性接触部４１が対応する固定接触部２８に対して、側方から弾性的に接触している。
【００２５】
また、山形部４０において、一対の弾性接触部４１の間にプラグピン接触部４２が設けられている。このプラグピン接触部４２は、ハウジング２のプラグピン挿入用孔１２にプラグピン５１が挿入される検査のとき以外は、図３に示すように、プラグピン挿入用孔１２に臨む位置にある。
図１１に示すように、検査時に、検査装置５０のプラグピン５１がプラグピン挿入用孔１２に挿入されると、このプラグピン５１によりスイッチ端子４の山形部４０の中央のプラグピン接触部４２が側方へ押されて変位することにより、プラグピン５１にプラグピン接触部４２が弾性接触すると共に、上記の変位に伴って、山形部４０の両端の可動接触部４１と固定端子３の固定接触部２８との接触が断たれる。
【００２６】
以上の次第で、本実施の形態によれば、常時は、Ｕ字状に湾曲したスイッチ端子３自体のバネ性によって、可動接触部４１が固定接触部２８に弾性接触する。プラグピン５１がプラグピン挿入用孔１２に挿入され、プラグピン５１の側部８１ａにプラグ接触部４２が接触すると、スイッチ端子４は、プラグピン５１に電気接続するとともに、スイッチ端子４のＵ字状部の第２の片部３８がプラグピン５１の挿入方向Ｘに対して交差する方向（側方）へ変位し、各可動接触部４１と対応する固定接触部２８の接触が断たれる。
【００２７】
また、プラグピン５１をプラグピン挿入用孔１２から抜き出すと、スイッチ端子４は、自らの弾性によって再び原位置に復帰し、可動接触部２８は固定接触部４１に弾性接触する。
スイッチ端子４がプラグピン５１の挿入方向Ｘに対して交差する方向に変位するようにしたので、スイッチ端子４の弾性変形範囲を確保しつつ当該同軸コネクタ１の薄型化の達成が可能となる。
【００２８】
また、固定端子３が一対の固定接触部２８を含むと共に、スイッチ端子４のＵ字状部３５の第２の片部３８は一対の固定接触部２８間を挿通する狭幅部３７ａとこれより先端側の広幅部としての山形部４０とを含み、この山形部４０は、その両端に一対の固定接触部２８にそれぞれ対応する一対の弾性接触部４１を設け、一対の弾性接触部４１間にプラグピン接触部４２を設けている。したがって、スイッチ端子４の一部を固定端子３側へ入りこませて組み合わせるので、省スペースを確保しつつスイッチ端子４の十分な弾性変形量を確保することができる。固定端子３とスイッチ端子４とが対応する一対の接触部２８，４１で接触を確保するので、信頼性が高い。
【００２９】
また、挿入時のプラグピン５１によってプラグ接続部４２が擦られる（いわゆるワイピングされる）ので、塵埃等の影響を受けずに確実な検査が実施できる。
さらに、万一、ドライバ等の異物がプラグピン挿入用孔１２のかなり奥まで挿入されても、スイッチ端子４が塑性変形してしまうようなことがなく、以後のスイッチ端子４の可動接触部４１と固定端子３の固定接触部２８の接続に問題はない。
【００３０】
しかも、スイッチ端子４がＵ字状部３５を含んで横向き略Ｓ字状をなす部分３９を設けていて２つの弾性屈曲部３４，３６を含むので、省スペースを図りつつスイッチ端子４の十分な弾性変形量を確保することができる。
また、ハウジング２の底面２ａにおいて、固定端子３およびスイッチ端子４を収容するための端子収容室６が第１、第２および第３係合溝１３，１４，１５と共に開放部分４３を介して開放しており、また、固定端子３およびスイッチ端子４の各端子本体２２，３０およびリード部２７，３１は、底面２ａの凹部２ｂに収容するようにしているので、開放部分４３を通して固定端子３およびスイッチ端子４を同方向から容易に組み込むことができ、組み立て易くすることができる。
【００３１】
なお、本発明は上記実施の形態に限定されるものではなく、本発明の特許請求の範囲で種々の変更を施すことができる。
【図面の簡単な説明】
【図１】本発明の一実施の形態のスイッチ付き同軸コネクタの斜視図である。
【図２】スイッチ付き同軸コネクタの分解斜視図である。
【図３】スイッチ付き同軸コネクタの平面図である。
【図４】スイッチ付き同軸コネクタの正面図である。
【図５】図３のＶ−Ｖ線に沿う断面図である。
【図６】ハウジングの底面図である。
【図７】組み合わされた状態の固定端子とスイッチ端子の斜視図である。
【図８】スイッチ付き同軸コネクタの底面図である。
【図９】スイッチ端子の山形部を含む要部の概略斜視図である。
【図１０】固定端子とスイッチ端子の要部の概略図であり、固定端子に組み合わされたスイッチ端子を固定端子の側から見た図である。
【図１１】回路基板に固定されたスイッチ付き同軸コネクタとこれを検査する検査装置の概略断面図である。
【図１２】従来のスイッチ付き同軸コネクタの概略構成を示す模式的断面図である。
【符号の説明】
１    スイッチ付き同軸コネクタ
２    ハウジング
２ａ  底面
２ｂ  凹部
３    固定端子
４    スイッチ端子
５    シェル
６    端子収容室
６ａ  第１収容室
６ｂ  第２収容室
７    筒状部
８，９  基台部
１０  上面部（プラグピン挿入用孔を形成する部分）
１１  周側壁
１２  プラグピン挿入用孔
１３  第１係合溝
１４  第２係合溝
１５  第３係合溝
２２  端子本体
２３  片部
２４  連結片部
２５  固定片部
２６  係止突起
２７  リード部
２８  固定接触部
２９  係合縁部
３０  端子本体
３１  リード部
３２  固定片部（固定端）
３３  係止突起
３４  第１の弾性屈曲部
３５  Ｕ字状部
３６  第２の弾性屈曲部
３７  第１の片部
３８  第２の片部
３８ａ  狭幅部
３９  横向き略Ｓ字状となる部分
４０  山形部（自由端。広幅部）
４１  弾性接触部
４２  プラグピン接触部
４３  開放部分
５０  検査装置
５１  プラグピン
Ｘ    プラグピンの挿入方向
Ｈ    ハウジングの高さ方向
【図１】
2004319227.tif 000003
【図２】
2004319227.tif 000004
【図３】
2004319227.tif 000005
【図４】
2004319227.tif 000006
【図５】
2004319227.tif 000007
【図６】
2004319227.tif 000008
【図７】
2004319227.tif 000009
【図８】
2004319227.tif 000010
【図９】
2004319227.tif 000011
【図１０】
2004319227.tif 000012
【図１１】
2004319227.tif 000013
【図１２】
2004319227.tif 000014